(57)【要約】【課題】  楽曲の選択者が楽曲自体あるいはその曲名を知らなくても、選択者がイメージする楽曲を容易に選択して、外部の録音・再生装置に記録することができる楽曲記録装置、及び、同楽曲記録装置を用いて録音・再生装置に楽曲を記録するための楽曲記録システムを提供する。【解決手段】  メッセージ記録装置３５の制御部４２は、第２記憶部４１に予め記憶されている複数のＢＧＭデータのなかから、メッセージカードの差出人が指定した複数のイメージ語が表す属性に合致するＢＧＭデータを選択して出力させる。そして、記録部４３は、出力されたＢＧＭデータを、メッセージカード１０の録音・再生装置に記録させる。【選択図】      図３
2005215203.tif 000002
【特許請求の範囲】
【請求項１】
複数の楽曲データを、各楽曲データの属性を表すイメージ語とともに記憶する記憶部と、
複数の前記イメージ語のうちから選択されたイメージ語が表す属性の前記楽曲データを選択して前記記憶部から出力させる制御部と、
出力された前記楽曲データを、外部の録音・再生装置に記録させるための  記録部と
を備えたことを特徴とする楽曲記録装置。
【請求項２】
複数のメッセージを記憶する副記憶部と、
使用者によって選択されたメッセージを前記副記憶部から出力させる副制御部と
を備え、
前記記録部は、出力された前記メッセージを、前記楽曲データとともに前記録音・再生装置に記録させることを特徴とする請求項１に記載の楽曲記録装置。
【請求項３】
請求項１又は請求項２に記載の楽曲記録装置と、
ネットワークを介して、複数の前記イメージ語のうちから選択させる選択手段と
を備えたことを特徴とする楽曲記録システム。
【発明の詳細な説明】
【技術分野】
【０００１】
本発明は、例えばメッセージカードに内蔵された半導体メモリに、楽曲データを記録するための楽曲記録装置、及び、この楽曲記録装置を用いて半導体メモリに楽曲データを記録するための楽曲記録システムに関するものである。なお、この楽曲とは、声楽曲、器楽曲、管弦楽曲等を含む。
【背景技術】
【０００２】
従来、半導体メモリに曲が記録されるメッセージカードとしては、例えば、特許文献１に記載されたメロディーカードがある。この装置では、カードに記憶部と選択設定部とが内蔵されている。そして、記憶部に記憶されている複数の曲のなかから、選択制御部により１曲が選択され、再生される。
【０００３】
また、特許文献２に記載されたメロディーカードがある。この装置では、カードにメロディチップが内蔵されている。そして、二つ折りのカードが開かれたことが光センサーによって検出されると、メロディチップによりメロディが再生される。
【特許文献１】特開平５−２７３９６７号公報
【特許文献２】登録実用新案第３００６１６７号公報
【発明の開示】
【発明が解決しようとする課題】
【０００４】
しかしながら、上記特許文献１の装置は、記憶部に予め記憶されているいくつかの曲のなかから、使用者が選択制御部を操作して好みの曲を選ぶようになっている。このため、カードの送り手がイメージする曲を、カードの受け手に聞かせることはできない。
【０００５】
また、上記特許文献２の装置は、１つの決まった曲が再生されるだけである。このため、同様に、カードの送り手がイメージする曲を、受け手に聞かせることはできない。また、送り手が、メロディチップに記憶させるメロディを選択することができたとしても、送り手自身がその曲自体や曲名を知らなければ、送り手がイメージするメロディを選択することは困難である。
【０００６】
本発明の目的は、楽曲の選択者が楽曲自体あるいはその曲名を知らなくても、選択者がイメージする楽曲を容易に選択して、外部の録音・再生装置に記録することができる楽曲記録装置、及び、この楽曲記録装置を用いて録音・再生装置に楽曲を記録するための楽曲記録システムを提供することにある。
【課題を解決するための手段】
【０００７】
上記目的を達成するため、請求項１に記載の発明は、複数の楽曲データを、各楽曲データの属性を表すイメージ語とともに記憶する記憶部と、複数の前記イメージ語のうちから選択されたイメージ語が表す属性の前記楽曲データを選択して前記記憶部から出力させる制御部と、出力された前記楽曲データを、外部の録音・再生装置に記録させるための記録部とを備えたことを特徴とする。
【０００８】
請求項２に記載の発明は、請求項１に記載の発明において、複数のメッセージを記憶する副記憶部と、使用者によって選択されたメッセージを前記副記憶部から出力させる副制御部とを備え、前記記録部は、出力された前記メッセージを、前記楽曲データとともに前記録音・再生装置に記録させることを特徴とする。
【０００９】
請求項３に記載の発明は、請求項１又は請求項２に記載の楽曲記録装置と、ネットワークを介して、前記イメージ語のうちから選択させる選択手段とを備えたことを特徴とする。
【発明の効果】
【００１０】
本発明によれば、楽曲の選択者がイメージする楽曲の属性を表すイメージ語を指定すると、選択者がイメージする楽曲が自動で選択され、外部の録音・再生装置に記録される。このため、選択者が楽曲あるいはその曲名を知らなくても、選択者がイメージする楽曲を容易に選択することができる。
【発明を実施するための最良の形態】
【００１１】
次に、本発明を、メッセージとともにＢＧＭ（バックグランドミュージック）をメッセージカードに記録するメッセージ記録装置に具体化した一実施形態を図１〜図３に従って説明する。
【００１２】
まず、メッセージカードについて説明する。
図１（ａ），（ｂ）に示すように、メッセージカード１０は、録音・再生装置１１が内蔵された本体部１２と、本体部１２の表面１２ａを覆う表紙１３との二つ折りとなっている。録音・再生装置１１は半導体メモリを用いたものであって、外部から記憶された音データを繰り返し再生可能である。
【００１３】
表紙１３の表面１３ａには、表紙デザインの一部として、例えば「Congratulation（おめでとう）」といった言葉が印刷されている。表紙１３の裏面１３ｂには、差出人が選択したカードタイトル１４、例えば、「おめでとうございます」、「Happy Wedding」といった言葉が印刷されている。本体部１２の表面１２ａには、受取人名１５、メッセージ１６及び差出人名１７が印刷されている。このメッセージ１６は、録音・再生装置１１に音声データとしても記録されている。また、本体部には、録音・再生装置１１に記録されたメッセージ及びＢＧＭを再生するための電源スイッチ１８及び再生スタートボタン１９と、メッセージ及びＢＧＭを録音・再生装置１１に録音するときに使用される差し込み口２０が設けられている。差し込み口２０には、メッセージ及びＢＧＭを記録するための図示しないコンピュータに接続されたケーブルのプラグが差し込まれる。
【００１４】
次に、メッセージカード１０の差出人が、メッセージカード１０を注文するときの注文システムについて説明する。
図２に示すように、この注文システムは、ネットワークとしてのインターネット３０を利用するものであって、差出人自宅のコンピュータ３１、メッセージカード販売会社の受注用コンピュータ３２、カードメーカーの受付用コンピュータ３３、印刷機３４及びメッセージ記録装置３５が中心となって構成される。本実施形態では、受注用コンピュータ３２が選択手段であり、メッセージ記録装置３５が楽曲記録装置である。
【００１５】
メッセージカード１０の差出人は、注文時に自宅のコンピュータ３１を操作して、インターネット３０で販売会社が運営するメッセージカード注文用のＷｅｂサイトに接続する。そして、このＷｅｂサイトで、所望のメッセージカード１０を注文する。注文内容としては、メッセージカード１０のカテゴリー（用途）、デザイン、カードタイトル、メッセージ及びＢＧＭがある。
【００１６】
カードメーカーは、差出人が入力した注文内容に基づいてメッセージカード１０を作成する。そして、カードメーカーは、このメッセージカード１０を郵便あるいは宅配を利用して届け先の受取人に届ける。
【００１７】
そして、受取人は、このメッセージカード１０により、差出人が選択したメッセージをＢＧＭとともに聞くことができる。
次に、差出人が、自宅のコンピュータ３１を用いて、メッセージカード１０を注文するときの注文手順について説明する。メッセージカード１０の注文は、上述のように、メッセージ注文用のＷｅｂサイトに設けられた注文メニューで行われる。
【００１８】
注文は、カテゴリー選択、デザイン選択、カードタイトル選択、メッセージ選択、差出人・受取人選択及びＢＧＭ選択の各選択操作をこの順に行うことで行われる。
カテゴリー選択は、メッセージカード１０の用途の選択であって、コンピュータ画面に表示される「結婚」、「出産」、「誕生日」及び「その他祝い事」といった複数の種類の中からいずれかを選択するようになっている。
【００１９】
次のデザイン選択は、メッセージカード１０の本体部１２及び表紙１３それぞれの表面１２ａ，１３ａ及び裏面１３ｂのデザインの選択であって、コンピュータ画面に表示される複数のデザインの中からいずれかを選択するようになっている。
【００２０】
次のカードタイトル選択は、表紙１３の裏面１３ｂに印刷されるカードタイトル１４の選択であって、カテゴリー選択で選択したカテゴリーに応じて用意された異なる選択メニューによって選択するようになっている。カテゴリー選択で「結婚」を選択したときには、コンピュータ画面に表示される、例えば「Happy Wedding」、「結婚おめでとう」、「祝  御結婚」等のカードタイトルの中からいずれかを選択するようになっている。また、カテゴリー選択で「出産」を選択したときには、同じく、例えば「Happy Baby」、「出産おめでとう」、「祝  出産」等のカードタイトルの中からいずれかを選択するようになっている。
【００２１】
次の差出人・受取人選択では、コンピュータ画面で、まず、差出人及び受取人がそれぞれ家族以外の個人、及び家族のいずれであるかを選択するようになっている。差出人・受取人が個人である場合には、同じく、次に、差出人及び受取人の性別、年齢の上下関係等を選択するようになっている。
【００２２】
次の受取人・差出人入力では、差出人及び受取人のそれぞれの名前を、コンピュータのキーボードを用いて入力するようになっている。
次のメッセージ選択では、本体部１２の表面１２ａに印刷されるとともに、録音・再生装置１１に記録されるメッセージを選択するようになっている。メッセージは、カテゴリー選択で選択されたカテゴリーと、差出人・受取人選択で選択された年齢の上下関係とに応じて用意された、複数の異なる選択メニューから選択するようになっている。カテゴリー選択で「結婚」を選択し、かつ、差出人・受取人選択で「同い年」、又は、「目下」を選択したときには、コンピュータ画面に表示される、例えば「結婚おめでとう」、「お二人の前途ますますのご多幸と発展をお祈りします。」、「結婚おめでとう。２人の未来に乾杯！」等のメッセージの中からいずれかを選択するようになっている。
【００２３】
最後のＢＧＭ選択では、メッセージとともに録音・再生装置１１に記録されるＢＧＭを選択するようになっている。ＢＧＭは、カテゴリー選択で選択したカテゴリーと、表紙デザイン選択で選択したデザインと、カードタイトル選択で選択したカードタイトルとの組み合わせに応じて用意された、複数の異なるＢＧＭ群から選択するようになっている。すなわち、任意の１つのＢＧＭ群は、カテゴリー、デザイン及びカードタイトルの１つの組み合わせに共通するイメージに合ったＢＧＭのみからなる。さらに、各ＢＧＭ群からの１つのＢＧＭの最終的な選択は、ＢＧＭの属性を表すイメージ語を選択することにより、自動的に行われるようになっている。属性を表すイメージ語の選択は、例えば、「荘厳」と「軽快」、「悲しげ」と「楽しげ」、「明るい」と「暗い」といったような反対概念である２つのイメージ語のいずれか一方を選択する手順を繰り返すことで行われるようになっている。そして、選択された複数のイメージ語が表す属性に合致する１つのＢＧＭが、あるＢＧＭ群のなかから選択されるようになっている。すなわち、１つのＢＧＭには、このＢＧＭを表す複数のイメージ語が対応づけられている。そして、複数のイメージ語が選択されることにより、この複数のイメージ語が表す属性に合致する１つのＢＧＭが検索されるようになっている。
【００２４】
次に、カードメーカーのメッセージ記録装置３５について説明する。
メッセージ記録装置３５は、上記注文メニューで選択された各項目に基づいて、予め記憶されているメッセージ及びＢＧＭの中から、差出人が要求するメッセージ及びＢＧＭを選択し、メッセージカード１０の録音・再生装置１１に記録させる。
【００２５】
メッセージ記録装置３５はコンピュータからなり、図３に示すように、複数のメッセージが記憶された第１記憶部４０（副記憶部）を備えている。また、メッセージ記録装置３５は、複数のＢＧＭデータ（楽曲データ）が、各ＢＧＭの属性を表すイメージ語とともに記憶された第２記憶部４１（記憶部）を備えている。また、メッセージ記録装置３５は、差出人がＷｅｂサイトの注文メニューのメッセージ選択で選択したメッセージを第１記憶部４０から出力させるための制御部４２（制御部及び副制御部）を備えている。また、制御部４２は、差出人が注文メニューのＢＧＭ選択で選択した複数のイメージ語に基づき、この各イメージ語がそれぞれ表す属性のいずれにも対応するＢＧＭデータを選択して第２記憶部４１から出力させる。さらに、メッセージ記録装置３５は、出力されたメッセージ及びＢＧＭデータを、録音・再生装置１１に記録させるための記録部４３を備えている。
【００２６】
このメッセージ記録装置３５により、差出人によって選択されたメッセージが、差出人によって選択されたイメージ属性に合致するＢＧＭとともにメッセージカード１０の録音・再生装置１１に録音される。
【００２７】
次に、メッセージカード１０の使用方法について説明する。
差出人は、注文時に自宅のコンピュータ３１を操作して、メッセージカード注文用のＷｅｂサイトに接続し、その注文メニューにおいて、自分が希望するメッセージカード１０の注文を行う。
【００２８】
この注文内容は、販売会社の受注用コンピュータ３２で受け付けられ、カードメーカーの受付用コンピュータ３３に送信される。そして、カードメーカーにおいて、この注文内容に基づき、選択されたデザイン、カードタイトル１４、受取人名１５、メッセージ１６、差出人名１７が印刷機３４によりメッセージカード１０に印刷される。また、選択されたメッセージ及びイメージ語がメッセージ記録装置３５に入力される。すると、メッセージ記録装置３５により、差出人がイメージするＢＧＭが選択され、この選択されたＢＧＭがメッセージとともにメッセージカード１０の録音・再生装置１１に記録される。このメッセージカード１０が、届け先の受取人に届けられる。
【００２９】
メッセージカード１０を受け取った受取人が、本体部１２の電源スイッチ１８を入れて再生スタートボタン１９を押すと、録音・再生装置１１により、ＢＧＭとともにメッセージが再生される。
【００３０】
次に、以上詳述した本実施形態が有する効果を列記する。
（１）  メッセージ記録装置３５は、予め第２記憶部４１に記憶する複数のＢＧＭデータの中から、差出人が選択した複数のイメージ語が表す属性のＢＧＭデータを選択し、メッセージカード１０に内蔵されている録音・再生装置１１に記録する。従って、差出人は、ＢＧＭ自体あるいはＢＧＭの曲名を知らなくとも、差出人がイメージするＢＧＭを容易に選択して、メッセージカード１０の録音・再生装置１１に記録させることができる。
【００３１】
（２）  メッセージ記録装置３５は、差出人が複数のメッセージのうちから選択したメッセージを、前記選択されたＢＧＭとともに録音・再生装置１１に記録させる。従って、差出人は、ＢＧＭとともにメッセージを音声で受取人に伝達することができる。
【００３２】
（３）  差出人は、インターネット３０上に設けられたメッセージカード販売店のＷｅｂサイトに、自分のコンピュータ３１で接続する。そして、Ｗｅｂサイトに設けられた注文メニューで複数のイメージ語を選択することにより、インターネット３０を介して販売店の受注用コンピュータ３２にイメージ語を送信する。従って、差出人は、メッセージカード１０に記録するＢＧＭの注文を、自宅に居ながらにして行うことができる。
【００３３】
次に、上記実施形態以外の実施形態を記載する。
・  前記実施形態におけるメッセージカード１０の注文システムを、図４に示すように、差出人が、メッセージと、ＢＧＭのイメージ属性とを記載した所定の注文用紙５０を、カードメーカーにＦＡＸ送信する形態としてよい。カードメーカーは、注文用紙５０を見て、メッセージ記録装置３５に、メッセージとイメージ語とを入力する。
【００３４】
・  前記実施形態で、メッセージカード１０に音声データで記録するメッセージを、差出人が自分の声で記録するようにしてもよい。この場合の注文システムとしては、例えば図５に示すような形態がある。まず。差出人が、ＢＧＭのイメージ属性を記入した注文用紙５０をカードメーカーにＦＡＸ送信する。この注文内容に基づいて、カードメーカーが、ＢＧＭを記録したメッセージカード１０を製作し、このメッセージカード１０をカード販売店に送付する。差出人は、販売店においてメッセージカード１０を受け取り、メッセージを記録するためのコンピュータを操作して、メッセージカード１０の録音・再生装置１１に自分の声でメッセージを記録する。販売店は、差出人がメッセージを記録したメッセージカード１０を、届け先の受取人に届ける。
【００３５】
なお、この場合のメッセージカードの注文システムとしては、図６に示すように、インターネット３０を利用したものでもよい。この注文システムでは、上記実施形態と同様に、まず、差出人が、自宅のコンピュータ３１を操作し、インターネット３０を介してカード販売会社にＢＧＭのイメージ属性のみを選択する。この注文内容に基づいて、カードメーカーが、ＢＧＭを記録したメッセージカードを製作し、このメッセージカード１０をカード販売店に送付する。差出人は、販売店においてメッセージカード１０を受け取り、メッセージを記録するためのコンピュータを操作して、メッセージカード１０の録音・再生装置１１に自分の声でメッセージを記録する。
【００３６】
・  本発明を、メッセージを記録せず、差出人が選択したイメージ語が表す属性の音楽のみをメッセージカード１０に記録する音楽記録装置に具体化してもよい。
【図面の簡単な説明】
【００３７】
【図１】（ａ），（ｂ）共にメッセージカードを示す斜視図。
【図２】メッセージカードの注文システムを示す構成図。
【図３】メッセージ記録装置の構成図。
【図４】他の実施形態としてのメッセージカード注文システムを示す構成図。
【図５】他の実施形態としてのメッセージカード注文システムを示す構成図。
【図６】他の実施形態としてのメッセージカード注文システムを示す構成図。
【符号の説明】
【００３８】
１０…メッセージカード、１１…録音・再生装置、１６…メッセージ、３０…ネットワークとしてのインターネット、３２…選択手段としての注文用コンピュータ、３５…楽曲記録装置としてのメッセージ記録装置、４０…副記憶部としての第１記憶部、４１…記憶部としての第２記憶部、４２…副制御部としての制御部、４３…記録部。
【図１】
2005215203.tif 000003
【図２】
2005215203.tif 000004
【図３】
2005215203.tif 000005
【図４】
2005215203.tif 000006
【図５】
2005215203.tif 000007
【図６】
2005215203.tif 000008